(57)【要約】【課題】皮膚刺激性が低く、使用感触、匂い、及び殺菌作用に優れる殺菌用組成物、及びこれを用いたウェットワイパーを提供する。【解決手段】本発明にかかる殺菌用組成物は、（ａ）下記式（Ｉ）で示されるブロック型アルキレンオキシド誘導体を０．１〜２０．０質量％、（ｂ）アルコールを１．０〜７０．０質量％、及び、（ｃ）殺菌剤を０．０１〜２．０質量％、を含有することを特徴とする。（化１）  Ｙ−［Ｏ（ＥＯ）ａ−（ＡＯ）ｂ−（ＥＯ）ｃ−Ｒ１］ｋ      （Ｉ）（式中、Ｙは３〜６個の水酸基を有する多価アルコールの水酸基を除いた残基、ｋは前記多価アルコールの水酸基数、ＥＯはオキシエチレン基、ＡＯは炭素数３〜６のオキシアルキレン基でそれぞれブロック状に付加されている。ａ×ｋ、ｂ×ｋおよびｃ×ｋはそれぞれオキシエチレン基、炭素数３〜６のオキシアルキレン基、オキシエチレン基の平均付加モル数であり、０≦ａ×ｋ≦５０、１≦ｂ×ｋ≦１００、０≦ｃ×ｋ≦１００、ただし、１＜（ａ＋ｃ）×ｋである。オキシエチレン基と炭素数３〜６のオキシアルキレン基の合計に対するオキシエチレン基の割合は、１０〜８０質量％である。Ｒ１は炭素数１〜４の炭化水素基である。）【選択図】なし【特許請求の範囲】
【請求項１】
（ａ）下記式（Ｉ）で示されるブロック型アルキレンオキシド誘導体を０．１〜２０．０質量％、
（ｂ）アルコールを１．０〜７０．０質量％、及び、
（ｃ）殺菌剤を０．０１〜２．０質量％、
を含有することを特徴とする殺菌用組成物。
（化１）
Ｙ−［Ｏ（ＥＯ）ａ−（ＡＯ）ｂ−（ＥＯ）ｃ−Ｒ１］ｋ      （Ｉ）
（式中、Ｙは３〜６個の水酸基を有する多価アルコールの水酸基を除いた残基、ｋは前記多価アルコールの水酸基数、ＥＯはオキシエチレン基、ＡＯは炭素数３〜６のオキシアルキレン基でそれぞれブロック状に付加されている。ａ×ｋ、ｂ×ｋおよびｃ×ｋはそれぞれオキシエチレン基、炭素数３〜６のオキシアルキレン基、オキシエチレン基の平均付加モル数であり、０≦ａ×ｋ≦５０、１≦ｂ×ｋ≦１００、０≦ｃ×ｋ≦１００、ただし、１＜（ａ＋ｃ）×ｋである。オキシエチレン基と炭素数３〜６のオキシアルキレン基の合計に対するオキシエチレン基の割合は、１０〜８０質量％である。Ｒ１は炭素数１〜４の炭化水素基である。）
【請求項２】
前記式（Ｉ）で示されるブロック型アルキレンオキシド誘導体において、ＡＯがオキシブチレン基であることを特徴とする請求項１に記載の殺菌用組成物。
【請求項３】
前記式（Ｉ）で示されるブロック型アルキレンオキシド誘導体において、ａが０であることを特徴とする請求項１または２に記載の殺菌用組成物。
【請求項４】
請求項１〜３いずれかに記載の殺菌用組成物が含浸されていることを特徴とするウェットワイパー。
【発明の詳細な説明】
【技術分野】
【０００１】
本発明は殺菌用組成物、ウェットワイパー、特にその皮膚刺激性、匂いの低減、及び使用感触の改善に関する。
【背景技術】
【０００２】
ウェットワイパー類とは、「ぬれティッシュ」、「使い捨ておしぼり」、「お手ふき」、「清浄綿」、「お手ふき布タオル」、「保湿ティッシュ」等の総称（日本清浄綿類工業会：ウェットワイパー類の安全衛生自主基準）である。これらは主に携帯用のおしぼりとして広く普及しており、汗などの簡単な汚れを除去してさっぱりとした清潔感を得ることができるものである。
【０００３】
ウェットワイパー類である、ぬれティッシュ、使い捨ておしぼり、お手ふき、清浄綿、お手ふき布タオル、保湿ティッシュには水、エタノール、及び塩化ベンザルコニウムなどの薬品が使用されている。薬品の中で代表的な塩化ベンザルコニウムは、殺菌消毒、消臭、防黴を目的として医療分野、食品分野、化粧品分野、工業分野などで用いられており、高い効果も有するため、広く使用されている。しかしながら塩化ベンザルコニウムは、皮膚刺激性や、匂いがするという欠点を有していた。
【０００４】
この解決手段として、テトラヒドロアビエチン酸とエタノールを併用する方法（例えば、特許文献１参照）や、アルキルジメチルベンジルアンモニウムを配合する方法（例えば、特許文献２参照）が提案されている。
【０００５】
しかしテトラヒドロアビエチン酸とエタノールを併用する方法は、殺菌性や皮膚刺激性、および使用性に優れるものの、その効果は十分満足いくものではなかった。
アルキルジメチルベンジルアンモニウムを配合する方法は、皮膚刺激性や匂い低減に優れるものの、使用感触は十分満足いくものではなかった。
【０００６】
また皮膚刺激性が低く、使用感触も良好な直鎖型ポリアルキレンオキシドジアルキルエーテル誘導体を配合した提案もされている（例えば特許文献３参照）。しかしこれらの提案では使用感触、皮膚に対する刺激性の緩和には優れているものの、経時による匂いに関して必ずしも満足のいく効果が得られてはいなかった。
【特許文献１】特開平５−１５４６７号公報
【特許文献２】特開２００６−６９９１９号公報
【特許文献３】特開２００４−２９２３９５号公報
【発明の開示】
【発明が解決しようとする課題】
【０００７】
本発明は前記従来技術の課題に鑑みなされたもので、その目的は皮膚刺激性が低く、使用感触、匂い、及び殺菌作用に優れる殺菌用組成物、及びこれを用いたウェットワイパーを提供することにある。
【課題を解決するための手段】
【０００８】
前記目的を達成するために本発明者らが鋭意検討を行った結果、特定のブロック型アルキレンオキシド誘導体を、アルコール及び殺菌剤とともに用いることにより、殺菌剤を使用していても皮膚刺激性が低く、使用感触に優れ、経時による匂いが低く、殺菌作用も阻害しないことを見出し、本発明を完成するに至った。
【０００９】
すなわち、本発明にかかる殺菌用組成物は、（ａ）下記式（Ｉ）で示されるブロック型アルキレンオキシド誘導体を０．１〜２０．０質量％、（ｂ）アルコールを１．０〜７０．０質量％、及び、（ｃ）殺菌剤を０．０１〜２．０質量％、を含有することを特徴とする。
【００１０】
（化１）
Ｙ−［Ｏ（ＥＯ）ａ−（ＡＯ）ｂ−（ＥＯ）ｃ−Ｒ１］ｋ      （Ｉ）
（式中、Ｙは３〜６個の水酸基を有する多価アルコールの水酸基を除いた残基、ｋは前記多価アルコールの水酸基数、ＥＯはオキシエチレン基、ＡＯは炭素数３〜６のオキシアルキレン基でそれぞれブロック状に付加されている。ａ×ｋ、ｂ×ｋおよびｃ×ｋはそれぞれオキシエチレン基、炭素数３〜６のオキシアルキレン基、オキシエチレン基の平均付加モル数であり、０≦ａ×ｋ≦５０、１≦ｂ×ｋ≦１００、０≦ｃ×ｋ≦１００、ただし、１＜（ａ＋ｃ）×ｋである。オキシエチレン基と炭素数３〜６のオキシアルキレン基の合計に対するオキシエチレン基の割合は、１０〜８０質量％である。Ｒ１は炭素数１〜４の炭化水素基である。
【００１１】
また、前記殺菌用組成物は、前記式（Ｉ）で示されるブロック型アルキレンオキシド誘導体において、ＡＯがオキシブチレン基であることが好適である。
また、前記殺菌用組成物は、前記式（Ｉ）で示されるブロック型アルキレンオキシド誘導体において、ａが０であることが好適である。
さらに、本発明にかかるウェットワイパーは、前記殺菌用組成物が含浸されていることを特徴とする。
【発明の効果】
【００１２】
本発明によれば、特定構造を有するブロック型アルキレンオキシド誘導体を配合することにより、アルコールや殺菌剤を配合しても皮膚刺激性が低く、匂いや使用感触に優れた殺菌用組成物を得ることができる。しかも、前記組成物は高い殺菌作用を保持している。
また、前記殺菌用組成物を基布へ含浸させ、前記機能を備えたウェットワイパーを得ることができる。
【発明を実施するための最良の形態】
【００１３】
以下、本発明の好適な実施形態について説明する。
本発明にかかる殺菌用組成物は、（ａ）特定構造を有するブロック型アルキレンオキシド誘導体、（ｂ）アルコール、及び、（ｃ）殺菌剤をそれぞれ特定量含むものである。以下、前記必須成分について順次詳述する。
【００１４】
（ａ）ブロック型アルキレンオキシド誘導体
本発明においては、下記式（Ｉ）で示されるブロック型アルキレンオキシド誘導体が適用し得る。
（化２）
Ｙ−［Ｏ（ＥＯ）ａ−（ＡＯ）ｂ−（ＥＯ）ｃ−Ｒ１］ｋ      （Ｉ）
【００１５】
前記式（Ｉ）で示されるブロック型アルキレンオキシド誘導体において、Ｙは３〜６個の水酸基を有する多価アルコールの水酸基を除いた残基であり、ｋは前記多価アルコールの水酸基数であり３〜６である。
３〜６個の水酸基を有する多価アルコールとしては、例えばｋ＝３であるグリセリン、トリメチロールプロパン、ｋ＝４であるエリスリトール、ペンタエリスリトール、ｋ＝５であるキシリトール、ｋ＝６であるソルビトール、イノシトールが挙げられる。
すなわち、本発明にかかる台所用液体洗浄剤組成物に配合されるブロック型アルキレンオキシド誘導体は、前記の３〜６個の水酸基を有する多価アルコールの１種または２種以上の混合物の水酸基を除いた残基を基本骨格とする。
【００１６】
本発明において、特に、Ｙが３〜４個の水酸基を有する多価アルコールの水酸基を除いた残基であることが好ましく、すなわち、３≦ｋ≦４を満たすことが好適である。このような多価アルコールとして、具体的にはグリセリン、ペンタエリスリトールが挙げられる。ｋが２以下であると、殺菌用組成物へ配合した場合に、経時による匂い低減が不十分であり好ましくない。また、ｋが７以上であると、べたつき感が生じてきる場合があり好ましくない。
【００１７】
ＥＯは、オキシエチレン基である。ＡＯは炭素数３〜６のオキシアルキレン基であり、具体的には、オキシプロピレン基、オキシブチレン基、オキシイソブチレン基、オキシｔ−ブチレン基、オキシテトラメチレン基、オキシペンチレン基、オキシヘキシレン基、などが挙げられる。好ましくは、オキシプロピレン基、オキシブチレン基であり、さらに好ましくはオキシブチレン基である。また、ＡＯは１種または２種以上を用いることができる。
【００１８】
ｂ×ｋはＡＯの平均付加モル数の総数であり、１≦ｂ×ｋ≦１００、好ましくは３≦ｂ×ｋ≦７０、より好ましくは５≦ｂ×ｋ≦５０である。ａ×ｋおよびｃ×ｋはＥＯの平均付加モル数であり、０≦ａ×ｋ≦５０、０≦ｃ×ｋ≦１００である。ａ×ｋとして、好ましくは０≦ａ×ｋ≦３０、より好ましくは０≦ａ×ｋ≦２０である。また、ｃ×ｋとして、好ましくは５≦ｃ×ｋ≦７０、より好ましくは５≦ｃ×ｋ≦５０である。また、前記式（Ｉ）中の全オキシエチレン基の平均付加モル数（ａ＋ｃ）×ｋは１より大きく、好ましくは１＜（ａ＋ｃ）×ｋ≦２００であり、更に好ましくは１０≦（ａ＋ｃ）×ｋ≦１４０である。ＡＯは本発明にかかるブロック型アルキレンオキシド誘導体において疎水性部位となり、ｂ×ｋが０であると、べたつき感および経時による匂いの低減が不十分であり、１００を超えると、皮膚刺激性に劣る傾向にある。また、（ａ＋ｃ）×ｋが０であると、皮膚刺激性に劣る場合があり好ましくない。
【００１９】
前記式（Ｉ）中のＡＯとＥＯの合計に対する前記式（Ｉ）中の全ＥＯの割合は１０〜８０質量％であり、さらに好ましくは２０〜７０質量％である。前記割合が１０質量％より小さいと、皮膚刺激性に劣る傾向にあり、８０質量％より大きいと、べたつき感が出てくる場合があり好ましくない。
また、ＡＯとＥＯの付加形態はブロック状であり、付加順序は式中のＹに対して、（ＡＯ）−（ＥＯ）の順、（ＥＯ）−（ＡＯ）の順、（ＥＯ）−（ＡＯ）−（ＥＯ）の順のいずれであってもよい。本発明においては、式中のＹに対して（ＡＯ）−（ＥＯ）の順、つまりａ＝０であることが特に好ましい。
【００２０】
前記式（Ｉ）において、Ｒ１は炭素数１〜４の炭化水素基であり、これはべたつきを低減するために必須である。このような炭化水素基としては、例えばメチル基、エチル基、ｎ−プロピル基、イソプロピル基、ｎ−ブチル基、ｓｅｃ−ブチル基、ｔｅｒｔ−ブチル基などが挙げられ、本発明においては特にメチル基、エチル基であることが好ましい。炭素数が５より大きいと、経時による匂いの低減効果が十分でなく好ましくない。また、Ｒ１が水素原子であると、べたつき感を生じる可能性があり好ましくない。
また、本発明にかかる台所用液体洗浄剤組成物に配合されるブロック型アルキレンオキシド誘導体において、Ｒ１は１分子中、同一であっても異なっていてもよく、１分子中において同一のＲ１を有するブロック型アルキレンオキシド誘導体１種、または異なるＲ１を有する２種以上の混合物であってもよい。
【００２１】
本発明にかかる台所用液体洗浄剤組成物に配合されるブロック型アルキレンオキシド誘導体としては、具体的にはＰＯＢ（３０）ＰＯＥ（３０）グリセリルトリメチルエーテル、ＰＯＢ（３０）ＰＯＥ（３５）グリセリルトリメチルエーテル、ＰＯＢ（１７）ＰＯＥ（２８）グリセリルトリメチルエーテル、ＰＯＢ（２７）ＰＯＥ（４５）グリセリルトリメチルエーテル、ＰＯＢ（１４）ＰＯＥ（３４）グリセリルトリメチルエーテル、ＰＯＢ（２２）ＰＯＥ（５５）グリセリルトリメチルエーテル、ＰＯＢ（１９）ＰＯＥ（５５）グリセリルトリメチルエーテル、ＰＯＢ（４０）ＰＯＥ（８０）グリセリルトリメチルエーテル、ＰＯＢ（８０）ＰＯＥ（４０）グリセリルトリメチルエーテル、ＰＯＢ（３０）ＰＯＥ（３０）グリセリルトリエチルエーテル、ＰＯＢ（３０）ＰＯＥ（３５）グリセリルトリエチルエーテル、ＰＯＢ（１４）ＰＯＥ（３４）グリセリルトリエチルエーテル、ＰＯＢ（３０）ＰＯＥ（３０）グリセリルトリプロピルエーテル、ＰＯＥ（３０）ＰＯＰ（３０）グリセリルトリメチルエーテル、ＰＯＥ（３５）ＰＯＰ（４０）グリセリルトリメチルエーテル、ＰＯＥ（４１）ＰＯＰ（４８）グリセリルトリメチルエーテル等が挙げられる。
なお、上記ＰＯＥ、ＰＯＰ、ＰＯＢは、それぞれポリオキシエチレン、ポリオキシプロピレン、ポリオキシブチレンの略であり、以下、このように略して記載することがある。
【００２２】
本発明にかかる殺菌用組成物に配合されるブロック型アルキレンオキシド誘導体は、公知の方法で製造することができる。例えば、水酸基を有している化合物に、エチレンオキシドおよび炭素数３〜６のアルキレンオキシドを付加重合した後、ハロゲン化アルキルをアルカリ触媒の存在下にエーテル化させることによって得られる。
【００２３】
以上のようにして得られるブロック型アルキレンオキシド誘導体の配合量としては、本発明にかかる殺菌用組成物全量に対して０．１〜２０．０質量％であることが好ましく、より好ましくは１．０〜１０．０質量％である。前記配合量が０．１質量％に満たないと、皮膚刺激性の低減が十分でないことがあり、配合量が２０．０質量％を超えると、使用後にべたつきを感じる傾向にあり好ましくない。
【００２４】
（ｂ）アルコール
本発明にかかる殺菌用組成物へ適用し得るアルコールとしては、特に限定されるものではないが、具体的には、エタノール、プロパノール、イソプロパノール、イソブチルアルコール、t-ブチルアルコール等が挙げられる。本発明において特に好ましくはエタノールである。
本発明の殺菌用組成物におけるアルコールの配合量は、組成物全量に対し１．０〜７０．０質量％であり、好ましくは５．０〜４０．０質量％である。前記配合量が１．０質量％に満たないとべたつきを感じ、また、７０．０質量％を越えると、皮膚刺激性が認められることがあり好ましくない。
【００２５】
（ｃ）殺菌剤
本発明にかかる殺菌用組成物へ適用し得る殺菌剤としては、カチオン系の界面活性剤、例えば塩化ベンザルコニウム、塩化ベンゼトニウム、塩化セチルピリジニウム等が挙げられる。本発明において特に好ましくは塩化ベンザルコニウムである。
本発明の殺菌用組成物における殺菌剤の配合量は、組成物全量に対し０．０１〜２．０質量％であり、好ましくは０．１〜０．５質量％である。前記配合量が０．０１質量％に満たないと殺菌剤としての効果が得られず、また、２．０質量％を越えると、皮膚刺激性が認められることがあり好ましくない。
【００２６】
本発明のウェットワイパーは、前記殺菌用組成物を、紙、不織布、脱脂綿レーヨンステーブル綿、又はこれらにプラスティックフィルム等を複合した基布に含浸することにより得られるものであり、具体的には、ぬれティッシュ、使い捨ておしぼり、お手ふき、清浄綿、お手ふき布タオル、保湿ティッシュ等が挙げられる。
【００２７】
本発明のウェットワイパーにおいては、本発明の効果を阻害しない範囲において、一般にウェットワイパーに配合される他の成分、例えば、油分、水等を配合することができ、さらに所望に応じて、無機顔料、体質顔料等の粉末類、アニオン性界面活性剤、カチオン性界面活性剤、両性界面活性剤、非イオン性界面活性剤、高級脂肪酸アルカノールアミド、脂肪酸モノグリセリドなどの脂肪酸と多価アルコールとのエステル、保湿剤、低級アルコール、増粘剤、キレート剤、防腐剤、色素、香料などを配合することができる。
【００２８】
以下に実施例をあげて本発明をさらに具体的に説明するが、本発明はこれにより限定されるものではない。なお、配合量については特に断りのない限り、質量％で示す。
【実施例１】
【００２９】
下記表２に示す成分および配合量で、殺菌用組成物（実施例１〜５、比較例１〜１０）を常法により調製した。そして、得られた組成物の溶液をそれぞれ２０ｃｍ×２０ｃｍの不織布に含浸させウェットワイパーを得た。各ウェットワイパーについて、評価試験を行い、その特性を評価した。
【００３０】
表２における（ａ）成分については、下記のものを用いた。
＜ａ成分＞
（ａ）成分として、下記表１に示す構造の化合物ａ−１〜ａ−１２をそれぞれ用いた。ａ−１〜ａ−１０のＹ、ａ×ｋ、ｂ×ｋ、ｃ×ｋ、ＡＯ、ＥＯ、Ｒ１は、下記式（Ｉ）における基および数値を表す。なお、表１のＹは各物質から水酸基を除いた残基を示し、ＥＯｗｔ％はＡＯ及びＥＯの合計に対するＥＯの割合を示す。また、ＡＯはオキシアルキレン基、ＥＯはオキシエチレン基、ＰＯはオキシプロピレン基、ＢＯはオキシブチレン基を表す。
（化３）
Ｙ−［Ｏ（ＥＯ）ａ−（ＡＯ）ｂ−（ＥＯ）ｃ−Ｒ１］ｋ      （Ｉ）
【００３１】
（表１）
2009108000.tif 000002
【００３２】
表２中の各評価項目は、以下の評価試験及び基準によるものである。評価結果も表２に併せて示す。
「評価（１）：皮膚刺激試験」
１０名のパネルの上腕内側部に２４時間の閉塞パッチを行ない、その後以下の基準により平均値を算出した。◎もしくは○を皮膚刺激が低いものと判断した。
０…全く異常が認められない。
１…わずかに赤みが認められる。
２…赤みが認められる。
３…赤みと丘疹が認められる。
「皮膚刺激試験」の評価基準は以下の通りである。
◎…パネル１０名の平均値：０．１未満
○…パネル１０名の平均値：０．１以上０．１５未満
△…パネル１０名の平均値：０．１５以上０．２未満
×…パネル１０名の平均値：０．２以上
【００３３】
「評価（２）：肌へのべたつきのなさ」
使用中及び使用後の肌へのべたつきのなさを専門パネラー１０名により実使用試験を実施した。評価基準は以下の通りである。◎もしくは○をべたつきが少ないものと判断した。
◎…専門パネラー８名以上が使用中及び使用後肌へのべたつきがないと認めた。
○…専門パネラー６名以上８名未満が使用中及び使用後肌へのべたつきがないと認めた。
△…専門パネラー３名以上６名未満が使用中及び使用後肌へのべたつきがないと認めた。
×…専門パネラー３名未満が使用中及び使用後肌へのべたつきがないと認めた。
【００３４】
「評価（３）：経時による匂い」
各試験例の殺菌用組成物について、製造直後ガラス瓶に充填し５０℃にて６週間放置後の匂いを専門パネラー１０名により官能評価を行った。○を経時による匂いが良好であると判断した。
○…専門パネラー６名以上が、不快臭がしないと認めた。
△…専門パネラー３名以上６名未満が、不快臭がしないと認めた。
×…専門パネラー３名未満が、不快臭がしないと認めた。  
【００３５】
「評価（４）：殺菌性試験（皮膚上）」
試料のウェットワイパー類、清浄綿で両手を拭いた。この操作を２回繰り返した後、グローブジュース法により手の菌を採取した。殺菌剤が配合されていない比較例１における手の菌数をコントロールとして比較評価した。○を殺菌作用を阻害してないと判断した。
○…比較例１の生菌数より明らかに低い菌数が確認されている。
×…比較例１の生菌数とほぼ同数の菌数が確認されている。
【００３６】
（表２）
2009108000.tif 000003
【００３７】
上記の結果から、本発明の殺菌用組成物を含浸している実施例１〜５のウェットワイパーは、皮膚刺激性、肌のべたつきのなさ、経時による匂い、及び抗菌性のいずれも優れているものであった。
これに対して、アルキレンオキシド誘導体（ａ成分）を無配合とした比較例１は、肌のべたつき、経時による匂いの点で実施例に劣るものであった。ＥＯを含有しない化合物ａ−６を配合した比較例２においては、皮膚刺激性、及び経時による匂いが劣っていた。末端が水酸基である化合物ａ−７を配合した比較例３は、皮膚刺激性、肌のべたつき、及び経時による匂いの点で劣っていた。ヘキシル基を有する化合物ａ−８を配合した比較例４は、経時による匂いの点で実施例に劣るものであった。ＡＯを含有しない化合物ａ−９を配合した比較例５は、肌のべたつき、及び経時による匂いの点で劣り、トレハロース骨格を有する化合物ａ−１０を配合した比較例６はべたつき感において劣ったものであった。また、比較例７は直鎖型のエチレンオキシド、プロピレンオキシドランダム共重合体のジメチルエーテルである化合物ａ−１１を配合し、そして比較例８は、直鎖型のエチレンオキシド、プロピレンオキシドブロック共重合体のジメチルエーテルであるａ−１２を配合したものであるが、いずれの組成物も経時による匂いの点で実施例に劣っていた。
【００３８】
このように、比較例１〜８の組成物において、実施例に比べ、皮膚刺激性、使用感触、経時による匂い、及び抗菌性の全てを満足するものは認められなかった。
したがって、（ａ）特定構造のブロック型アルキレンオキシド誘導体、（ｂ）アルコール、及び、（ｃ）殺菌剤を適量配合することにより、高い抗菌性を保持したまま、使用感触及び経時による匂いの低減を向上し、且つ皮膚刺激性の低い殺菌用組成物を得ることができる。